(57)【要約】【課題】自己発熱を抑制し、多出力化することができる液晶パネル駆動装置を提供する。【解決手段】液晶パネル駆動装置１ａは、チップの温度が所定の温度以上になった否かを検知する温度検知回路１１と、温度検知回路１１の検知結果に基づいて、複数のガンマ補正電圧の少なくとも１つを変更するガンマ補正回路１５ａとを有する。【選択図】図２
2011164288.tif 000002
【特許請求の範囲】
【請求項１】
複数の画素がマトリクス状に配置された液晶パネルに画素データを出力する１チップで構成される液晶パネル駆動装置であって、
前記チップの温度が所定の温度以上になった否かを検知する温度検知回路と、
前記温度検知回路の検知結果に基づいて、複数のガンマ補正電圧の少なくとも１つを変更するガンマ補正回路と、
を有することを特徴とする液晶パネル駆動装置。
【請求項２】
前記ガンマ補正回路は、複数のガンマ補正用電圧入力端子の少なくとも１つに直列に接続された抵抗と、前記抵抗に並列に接続され、前記温度検知回路の検知結果に基づいてオンまたはオフするＭＯＳトランジスタとを有し、
前記温度検知回路により前記チップ温度が前記所定の温度以上になったことが検知された場合、前記ＭＯＳトランジスタをオフすることにより、前記ガンマ補正電圧の少なくとも１つを変更することを特徴とする請求項１に記載の液晶パネル駆動装置。
【請求項３】
前記液晶パネル駆動装置を複数有し、
一の液晶パネル駆動装置において、前記所定の温度以上になったことが検知された場合、他の液晶パネル駆動装置のガンマ補正電圧を変更することを特徴とする請求項１または請求項２に記載の液晶パネル駆動装置。
【請求項４】
前記複数の液晶パネル駆動装置は、温度検知信号ラインにより接続され、
前記一の液晶パネル駆動装置において、前記所定の温度以上になったことが検知された場合、前記温度検知信号ラインの信号レベルを制御することにより、前記他の液晶パネル駆動装置のガンマ補正電圧を変更することを特徴とする請求項３に記載の液晶パネル駆動装置。
【請求項５】
入力されたデジタル放送信号を復号して、映像表示用の映像信号を生成する復号処理部と、
前記復号処理部により生成された前記映像表示用の映像信号に画像処理を施す画像エンジンと、
複数の画素がマトリクス状に配置された液晶パネルと、前記画像エンジンにより画像処理が施された前記映像表示用の映像信号に応じた画素データを前記液晶パネルに出力する液晶パネル駆動装置とを具備した液晶表示装置と、
を有し、
前記液晶パネル駆動装置は、前記チップ温度が所定の温度以上になった否かを検知する温度検知回路と、前記温度検知回路の検知結果に基づいて、複数のガンマ補正電圧の少なくとも１つを変更するガンマ補正回路と、
を有することを特徴とするテレビジョン装置。
【発明の詳細な説明】
【技術分野】
【０００１】
本発明は、液晶パネル駆動装置及びテレビジョン装置に関し、特に、液晶パネル駆動装置の自己発熱を抑制することができる液晶パネル駆動装置及びテレビジョン装置に関する。
【背景技術】
【０００２】
近年、テレビジョン装置は、液晶パネルを備えた液晶表示モジュールを有している。さらに、この液晶表示モジュールは、液晶パネルの各ラインを順次有効にする複数のゲートドライバと、有効になったラインに画素データを書き込む複数のソースドライバとを有する。
【０００３】
液晶パネル駆動装置としてのソースドライバは、所定数の画素データを出力する。そのため、１つの液晶パネル駆動装置から出力される画素データの数と液晶パネルの１ラインの画素数とによって、液晶表示モジュールに搭載される液晶パネル駆動装置の個数が決定される。
【０００４】
このような液晶表示モジュールの小型化及び低コスト化を行うためには、液晶表示モジュールに搭載される液晶パネル駆動装置の個数を少なくすることが求められる。この場合、１つの液晶パネル駆動装置から出力される画素データの数を多くする、即ち、多出力化することにより、液晶表示モジュールに搭載する液晶パネル駆動装置を減少させることができる。
【０００５】
しかしながら、液晶パネル駆動装置を多出力化することにより、液晶パネル駆動装置から出力される画素データの数が増加するため、電流の充放電による液晶パネル駆動装置の自己発熱が発生する。そのため、液晶パネル駆動装置を多出力化することにより、液晶パネル駆動装置の温度が上昇するという問題がある。
【０００６】
また、環境温度変動による画素の輝度変化を低電力で実現する表示装置が提案されている（例えば、特許文献１参照）。この提案の表示装置では、有機ＥＬ素子のモニタ素子が検出した環境温度によりバンドギャップ型定電流源の出力が切り換えられる。そして、この出力に基づき、電源制御部は、システムが高温域にあると判断すると電源回路の電源電圧を下げるような制御を行う。
【０００７】
しかしながら、この提案の表示装置は、表示領域の画素に表示信号を供給する液晶パネル駆動装置としての信号線駆動回路の発熱については考慮されておらず、信号線駆動回路の多出力化ができないという問題がある。
【先行技術文献】
【特許文献】
【０００８】
【特許文献１】特開２００９−２５７４２号公報
【発明の概要】
【発明が解決しようとする課題】
【０００９】
本発明は、自己発熱を抑制し、多出力化することができる液晶パネル駆動装置を提供することを目的とする。
【課題を解決するための手段】
【００１０】
本発明の一態様によれば、複数の画素がマトリクス状に配置された液晶パネルに画素データを出力する１チップで構成される液晶パネル駆動装置であって、前記チップの温度が所定の温度以上になった否かを検知する温度検知回路と、前記温度検知回路の検知結果に基づいて、複数のガンマ補正電圧の少なくとも１つを変更するガンマ補正回路とを有することを特徴とする液晶パネル駆動装置を提供することができる。
【発明の効果】
【００１１】
本発明の液晶パネル駆動装置によれば、自己発熱を抑制し、多出力化することができる。
【図面の簡単な説明】
【００１２】
【図１】本実施の形態に係る液晶パネル駆動装置を有するテレビジョン装置の構成の例を説明するためのブロック図である。
【図２】本実施の形態の液晶パネル駆動装置の構成の例を説明するためのブロック図である。
【図３】温度検知回路の構成の例を説明するためのブロック図である。
【図４】ガンマ補正電圧の変化の例について説明するための説明図である。
【図５Ａ】ガンマ補正電圧の変化の他の例について説明するための説明図である。
【図５Ｂ】ガンマ補正電圧の変化の他の例について説明するための説明図である。
【発明を実施するための形態】
【００１３】
以下、図面を参照して本発明の実施の形態について詳細に説明する。  
まず、図１に基づき、本実施の形態に係る液晶パネル駆動装置を有するテレビジョン装置の構成について説明する。図１は、本実施の形態に係る液晶パネル駆動装置を有するテレビジョン装置の構成の例を説明するためのブロック図である。
【００１４】
図１に示すように、テレビジョン装置１００は、アンテナ１０１と、チューナ１０２と、復号処理部１０３と、音声出力処理部１０４と、画像エンジン１０５と、システム制御部１０６と、液晶表示モジュール１０７とを有して構成されている。
【００１５】
液晶表示装置としての液晶表示モジュール１０７は、コントローラ１０８と、電源発生装置１０９と、画像発生装置１１０と、複数、ここでは、４つのゲートドライバ１１１ａ〜１１１ｄと、複数、ここでは、８つのソースドライバ１１２ａ〜１１２ｈと、液晶パネル１１３とを有して構成されている。なお、本実施の形態では、液晶表示装置を例に説明するが、液晶表示装置に限定されることなく、他の方式の表示装置であってもよい。
【００１６】
ソースドライバ１１２ａ〜１１２ｈのそれぞれは、１チップの半導体装置として構成され、出力電圧制御部１１４ａ〜１１４ｈを有している。出力電圧制御部１１４ａ〜１１４ｈは、それぞれソースドライバ１１２ａ〜１１２ｈの温度上昇を検知し、画素データとしての出力電圧値を制御する。また、出力電圧制御部１１４ａ〜１１４ｈは、カスケード接続信号ライン１１５によってカスケード接続されている。さらに、出力電圧制御部１１４ａ〜１１４ｈは、カスケード接続温度検知ライン１１６によってカスケード接続されている。
【００１７】
アンテナ１０１は、デジタル放送信号を受信し、受信したデジタル放送信号をチューナ１０２に供給する。
【００１８】
チューナ１０２は、供給されたデジタル放送信号からユーザに指定されたチャンネルを選局し、復号処理部１０３に出力する。
【００１９】
復号処理部１０３は、入力されたデジタル放送信号を復号して、映像表示用の映像信号及び音声出力用の音声信号を生成する。復号処理部１０３は、音声出力用の音声信号を音声出力処理部１０４に出力するとともに、映像表示用の映像信号を画像エンジン１０５に出力する。
【００２０】
音声出力処理部１０４は、音声出力用の音声信号を音声処理し、図示しないスピーカ等により構成される音声出力部に出力する。
【００２１】
画像エンジン１０５は、システム制御部１０６の制御に基づいて、映像表示用の映像信号に画像処理を施し、液晶表示モジュール１０７のコントローラ１０８に出力する。
【００２２】
コントローラ１０８は、画像エンジン１０５から出力された画像処理が施された映像信号に応じて、電源発生装置１０９及び画像発生装置１１０を制御する。
【００２３】
電源発生装置１０９は、コントローラ１０８の制御に基づいて、ゲートドライバ用駆動信号用電源及びソースドライバ用駆動信号用電源を生成し、それぞれゲートドライバ１１１ａ〜１１１ｄ及びソースドライバ１１２ａ〜１１２ｈに出力する。
【００２４】
画像発生装置１１０は、コントローラ１０８の制御に基づいて、ゲートドライバ用駆動信号及びソースドライバ用駆動信号を生成し、それぞれゲートドライバ１１１ａ〜１１１ｄ及びソースドライバ１１２ａ〜１１２ｈに出力する。
【００２５】
液晶パネル１１３は、フルハイビジョンの映像を表示可能なように、垂直方向に１０８０の画素及び水平方向に１９２０の画素がマトリクス状に配置されている。
【００２６】
ゲートドライバ１１１ａ〜１１１ｄは、ゲートドライバ用駆動信号用電源及びゲートドライバ用駆動信号に基づいて、１０８０ラインのいずれを有効にするかを制御する。
【００２７】
４つのゲートドライバ１１１ａ〜１１１ｄが１０８０ラインのいずれを有効にするかを制御するため、ゲートドライバ１１１ａ〜１１１ｄのそれぞれは、２７０ラインのいずれを有効にするかの制御を行なうことになる。
【００２８】
ソースドライバ１１２ａ〜１１２ｈは、ソースドライバ用駆動信号用電源及びソースドライバ用駆動信号に基づいて、有効になったラインの１９２０画素に画素データを書き込む制御を行なう。１９２０画素のそれぞれがＲＧＢの３つのサブ画素から構成されているため、ソースドライバ１１２ａ〜１１２ｈのそれぞれは、７２０画素分の画素データを出力する。
【００２９】
ゲートドライバ１１１ａ〜１１１ｄが順次各ラインを有効にし、ソースドライバ１１２ａ〜１１２ｈが有効になったラインに画素データを書き込む。これにより、映像信号が順次、液晶パネル１１３に表示されることになる。このように、ソースドライバ１１２ａ〜１１２ｈは、それぞれ本実施の形態の液晶パネル駆動装置１ａ〜１ｈを構成する。
【００３０】
図２は、本実施の形態の液晶パネル駆動装置の構成の例を説明するためのブロック図である。なお、液晶パネル駆動装置１ａ〜１ｈは同一の構成ため、液晶パネル駆動装置１ａを例に説明する。
【００３１】
図２に示すように、液晶パネル駆動装置１ａは、上述したカスケード接続信号ライン１１５及びカスケード接続温度検知ライン１１６と、温度検知回路１１と、Ｎ型ＭＯＳトランジスタ１２と、インバータ１３と、インターフェース（以下、Ｉ／Ｆという）１４と、正極側のガンマ補正回路１５ａと、負極側のガンマ補正回路１５ｂと、複数のデコーダ１６ａ及び１６ｂと、複数のソースアンプ１７ａ及び１７ｂと、プルアップ抵抗Ｒ０とを有して構成されている。なお、図２において、デコーダ及びソースアンプは２個のみ記載してあるが、上述したように、１つの液晶パネル駆動装置１ａが７２０画素のデータを出力する場合、デコーダ及びソースアンプは、それぞれ７２０個必要となる。そして、各ソースアンプの出力が液晶パネル１１３の図示しないデータ線に接続されている。
【００３２】
また、液晶パネル駆動装置１ａは、カスケード接続信号端子１８ａ１及び１８ａ２と、カスケード接続温度検知端子１９ａ１及び１９ａ２と、ソースドライバ用駆動端子２０ａと有している。
【００３３】
正極側のガンマ補正回路１５ａは、ガンマ補正用入力電圧が印加されるガンマ補正用電圧入力端子ＶＨ０ａ〜ＶＨ２５５ａと、分圧抵抗Ｒ１〜Ｒ２５５と、電圧降下用の抵抗Ｒ２５６と、Ｐ型ＭＯＳトランジスタ２１とを有して構成されている。なお、負極側のガンマ補正回路１５ｂは、正極側のガンマ補正回路１５ａと同様の構成であるが、Ｐ型ＭＯＳトランジスタ２１に代わり、Ｎ型ＭＯＳトランジスタを用いて構成されている。
【００３４】
カスケード接続温度検知ライン１１６は、プルアップされており、プルアップ抵抗Ｒ０を介して電源Ｖｃｃが印加されている。
【００３５】
温度検知回路１１は、液晶パネル駆動装置１ａのチップ温度を検知し、検知した温度が所定の温度以上になったか否かを検知する。温度検知回路１１は、検知した温度が所定の温度より小さい場合、Ｌレベルの信号をＮ型ＭＯＳトランジスタ１２のゲート端子に出力し、検知した温度が所定の温度以上の場合、Ｈレベルの信号をＮ型ＭＯＳトランジスタ１２のゲート端子に出力する。なお、以下の説明では、所定の温度を閾値ともいう。
【００３６】
温度検知回路１１からＬレベルの信号が出力されている場合、Ｎ型ＭＯＳトランジスタ１２がオフとなる。一方、温度検知回路１１からＨレベルの信号が出力されている場合、Ｎ型ＭＯＳトランジスタ１２がオンとなり、カスケード接続温度検知ライン１１６がＬレベルとなる。即ち、カスケード接続温度検知ライン１１６は、温度検知回路１１により閾値以上の温度上昇が検知されていない場合、Ｈレベルとなり、温度検知回路１１により閾値以上の温度上昇が検知された場合、Ｌレベルとなる。このように、温度検知信号ラインとしてのカスケード接続温度検知ライン１１６は、温度検知回路１１の検知結果に応じて信号レベルが制御される。
【００３７】
このカスケード接続温度検知ライン１１６のＨレベルまたはＬレベルの信号は、インバータ１３に供給されるとともに、カスケード接続温度検知端子１９ａ１及び１９ａ２を介して、液晶パネル駆動装置１ｂのカスケード接続温度検知端子１９ｂ１に供給される。また、液晶パネル駆動装置１ｂ〜１ｈは、液晶パネル駆動装置１ａと同様の構成のため、このカスケード接続温度検知ライン１１６のＨレベルまたはＬレベルの信号は、カスケード接続温度検知ライン１１６を介して、液晶パネル駆動装置１ｂ〜１ｈにも供給される。このように、液晶パネル駆動装置１ａ〜１ｈは、カスケード接続温度検知ライン１１６によってカスケード接続されている。
【００３８】
そのため、あるチップ、例えば、液晶パネル駆動装置１ａにおいて、閾値以上の温度上昇が検知され、カスケード接続温度検知ライン１１６がＬレベルとなった場合、他のチップの液晶パネル駆動装置１ｂ〜１ｈのカスケード接続温度検知ライン１１６もＬレベルとなり、閾値以上の温度上昇が検知されたことが供給されるようになっている。即ち、液晶パネル駆動装置１ａのカスケード接続温度検知ライン１１６がＬレベルとなった場合、このＬレベルの信号は、液晶パネル駆動装置１ｂ〜１ｈにもカスケード接続温度検知ライン１１６により共有される。
【００３９】
これにより、液晶パネル駆動装置１ｂ〜１ｈは、それぞれ後述するガンマ補正電圧の制御を行う。ある液晶パネル駆動装置１ａにおいて閾値以上の温度上昇が検知されたときに、その液晶パネル駆動装置１ａだけガンマ補正電圧の制御を行うと、液晶パネル１１３の一部だけ輝度値が下がってしまう。そのため、液晶パネル駆動装置１ａ〜１ｈをカスケード接続し、ある液晶パネル駆動装置１ａにおいて閾値以上の温度上昇が検知されたときには、他の液晶パネル駆動装置１ｂ〜１ｈにおいてもガンマ補正電圧の制御を行うようにしている。
【００４０】
インバータ１３は、カスケード接続温度検知ライン１１６の信号レベルを反転し、Ｐ型ＭＯＳトランジスタ２１のゲート端子に出力する。即ち、インバータ１３は、カスケード接続温度検知ライン１１６がＨレベルの場合、Ｌレベルの信号をガンマ補正回路１５ａのＰ型ＭＯＳトランジスタ２１のゲート端子に出力し、カスケード接続温度検知ライン１１６がＬレベルの場合、Ｈレベルの信号をガンマ補正回路１５ａのＰ型ＭＯＳトランジスタ２１のゲート端子に出力する。これにより、温度検知回路１１が閾値以上の温度上昇を検知していない通常動作時は、Ｐ型ＭＯＳトランジスタ２１がオンし、温度検知回路１１が閾値以上の温度上昇を検知した異常動作時は、Ｐ型ＭＯＳトランジスタ２１がオフする。
【００４１】
なお、上述したように、ガンマ補正回路１５ｂは、Ｐ型ＭＯＳトランジスタ２１に代わり、Ｎ型ＭＯＳトランジスタを用いる。通常動作時にＮ型ＭＯＳトランジスタがオンし、異常動作時にＮ型ＭＯＳトランジスタがオフするように、通常動作時は、Ｎ型ＭＯＳトランジスタのゲート端子にＨレベルの信号を供給し、異常動作時は、Ｎ型ＭＯＳトランジスタのゲート端子にＬレベルの信号を供給する。この場合、図示しないインバータにより、インバータ１３の出力レベルを反転し、Ｎ型ＭＯＳトランジスタのゲート端子に供給する、あるいは、カスケード接続温度検知ライン１１６の信号レベルをＮ型ＭＯＳトランジスタのゲート端子に供給するようにすればよい。
【００４２】
正極側のガンマ補正回路１５ａは、８ビット階調を例にしており、ガンマ補正用電圧入力端子ＶＨ０ａ及びＶＨ２５５ａから入力されるガンマ補正用入力電圧を分圧抵抗Ｒ１〜Ｒ２５５により分圧し、ガンマ補正電圧ＶＨ０ｂ〜ＶＨ２５５ｂを生成する。ガンマ補正回路１５ａは、生成したガンマ補正電圧ＶＨ０ｂ〜ＶＨ２５５ｂを複数のデコーダ１６ａ及び１６ｂに出力する。なお、正極側のガンマ補正回路１５ａは、８ビット階調に限定されることなく、例えば、６ビット階調または１２ビット階調であってもよい。同様に、負極側のガンマ補正回路１５ｂは、ガンマ補正電圧ＶＬ０ｂ〜ＶＬ２５５ｂを複数のデコーダ１６ａ及び１６ｂに出力する。
【００４３】
本実施の形態では、ガンマ補正電圧ＶＨ２５５ｂが最大出力電圧であり、ガンマ補正電圧ＶＬ２５５ｂが最小出力電圧であり、最大出力電圧を１６Ｖ、最小出力電圧を０Ｖとする。なお、ガンマ補正電圧ＶＨ０ｂ〜ＶＨ２５５ｂを補正できるように、ガンマ補正用電圧入力端子ＶＨ１ａ〜ＶＨ２５４ａを介して中間電位を外部から入力できるような構成になっている。
【００４４】
正極側では、最大のガンマ補正用入力電圧が印加されるガンマ補正用電圧入力端子ＶＨ２５５ａに対して、抵抗Ｒ２５６を直列に挿入している。そして、その抵抗Ｒ２５６をスルーできるように、トランジスタスイッチとしてのＰ型ＭＯＳトランジスタ２１を抵抗Ｒ２５６に並列に挿入している。また、負極側では、最小のガンマ補正用入力電圧が印加されるガンマ補正用電圧入力端子ＶＬ２５５ａに対して、抵抗を直列に挿入し、その抵抗をスルーできるように、トランジスタスイッチとしてのＮ型ＭＯＳトランジスタを抵抗に並列に挿入する。
【００４５】
温度検知回路１１が閾値以上の温度上昇を検知していない通常動作時は、Ｐ型ＭＯＳトランジスタ２１がオンとなり、抵抗Ｒ２５６はスルーされる。これにより、正常なガンマ補正電圧ＶＨ２５５ｂ、言い換えると、ガンマ補正用電圧入力端子ＶＨ２５５ａに印加されたガンマ補正用入力電圧がそのまま出力される。
【００４６】
しかし、温度上昇によって温度検知回路１１が閾値以上の温度上昇を検知した異常動作時は、Ｐ型ＭＯＳトランジスタ２１がオフとなり、ガンマ補正用電圧入力端子ＶＨ２５５ａに印加されたガンマ補正用入力電圧が抵抗Ｒ２５６を経由し、ガンマ補正電圧ＶＨ２５５ｂが出力される。そのため、抵抗Ｒ２５６による電圧降下が発生し、ガンマ補正電圧ＶＨ２５５ｂが下がる。また、負極側では、ガンマ補正用電圧入力端子ＶＬ２５５に直列に接続された抵抗により入力電圧が分圧され、ガンマ補正電圧ＶＬ２５５ｂが上がる。これにより、液晶パネル駆動装置１ａの出力電圧の振幅が小さくなり、液晶パネル駆動装置１ａの発熱が抑制される。
【００４７】
画像発生装置１１０により生成されたソースドライバ用駆動信号は、ソースドライバ用駆動端子２０ａを介してＩ／Ｆ１４に供給される。Ｉ／Ｆ１４は、カスケード接続信号ライン１１５により入力される制御信号に基づいて、ソースドライバ用駆動信号を取り込むか否かを判定する。Ｉ／Ｆ１４は、この制御信号に基づいてソースドライバ用駆動信号を取り込むと、デコーダ１６ａ及び１６ｂのそれぞれに選択信号を出力する。
【００４８】
デコーダ１６ａ及び１６ｂは、それぞれＩ／Ｆ１４からの選択信号に基づいて、ガンマ補正電圧ＶＨ０ｂ〜ＶＨ２５５ｂのいずれか１つを選択し、ソースアンプ１７ａ及び１７ｂに出力する。
【００４９】
ボルテージフォロア接続のソースアンプ１７ａ及び１７ｂは、それぞれデコーダ１６ａ及び１６ｂによって選択されたガンマ補正電圧を液晶駆動電圧として、液晶パネル１１３の対応する図示しないデータ線に出力する。
【００５０】
ここで、液晶パネル駆動装置１ａの温度を検知する温度検知回路１１の構成について説明する。図３は、温度検知回路の構成の例を説明するためのブロック図である。
【００５１】
図３に示すように、温度検知回路１１は、基準電源バンドギャップ回路３１と、定電流源３２と、コンパレータ３３と、ダイオードＤ１と、分圧抵抗Ｒ２５７及びＲ２５８とを有して構成されている。
【００５２】
基準電源バンドギャップ回路３１は、液晶パネル駆動装置１ａの温度変化に依存せずに、所定の電圧ＶＢＧを発生する。
【００５３】
定電流源３２は、基準電源バンドギャップ回路３１で発生した所定の電圧ＶＢＧに基づいて、所定の電流Ｉを出力する。定電流源３２から出力された電流Ｉは、定電流源３２に直列に接続された温度検出用のダイオードＤ１を介してＧＮＤへと流れ、ダイオードＤ１のアノード端子に電圧Ｖｆを発生させる。この電圧Ｖｆは、コンパレータ３３の（−）端子に入力される。
【００５４】
また、基準電源バンドギャップ回路３１とＧＮＤ間には、分圧抵抗Ｒ２５７及びＲ２５８が直列に接続され、所定の電圧ＶＢＧが分圧抵抗Ｒ２５７及びＲ２５８により分圧される。
【００５５】
分圧抵抗Ｒ２５７及びＲ２５８の接続点における電圧ＶＢＧ’は、
ＶＢＧ’＝（ＶＢＧ×Ｒ２５８／（Ｒ２５７＋Ｒ２５８））
となり、この電圧ＶＢＧ’がコンパレータ３３の（＋）端子に入力される。
【００５６】
コンパレータ３３は、入力された電圧ＶＢＧ’と電圧Ｖｆとを比較して、電圧Ｖｆが電圧ＶＢＧ’より大きい場合、Ｌレベルの信号を出力し、電圧Ｖｆが電圧ＶＢＧ’以下の場合、Ｈレベルの信号を出力する。
【００５７】
一般に、ダイオードの順方向の電圧Ｖｆは、約−２ｍＶ／゜Ｃとなる負の温度係数を有しているため、液晶パネル駆動装置１ａの温度が上昇することにより、順方向の電圧Ｖｆが低下する。そのため、温度検出用のダイオードＤ１は、ある閾値以上の温度を検出すると、電圧ＶＢＧ’以下となる電圧Ｖｆを検出する。これにより、コンパレータ３３は、電圧Ｖｆが電圧ＶＢＧ’以下になったことを検知、即ち、液晶パネル駆動装置１の温度上昇を検知し、Ｈレベルの制御信号をＮ型ＭＯＳトランジスタ１２に出力する。
【００５８】
この結果、上述したように、Ｎ型ＭＯＳトランジスタ１２がオンとなり、カスケード接続温度検知ライン１１６がＬレベルとなる。カスケード接続温度検知ライン１１６がＬレベルになると、インバータ１３を介してＨレベルの信号がガンマ補正回路１５ａのＰ型ＭＯＳトランジスタ２１に出力され、Ｐ型ＭＯＳトランジスタ２１がオフする。これにより、ガンマ補正用電圧入力端子ＶＨ２５５ａに印加されたガンマ補正用入力電圧が抵抗Ｒ２５６により電圧降下され、液晶パネル駆動装置１ａの自己発熱が抑制される。
【００５９】
図４は、ガンマ補正電圧の変化の例について説明するための説明図である。なお、図４は、中間電位を印加していない場合のガンマ補正電圧の変化の例を示している。
【００６０】
矢印４１ａは、温度検知回路１１によって閾値以上の温度上昇が検知されていないときの正極側のガンマ補正回路１５ａのガンマ補正電圧ＶＨ０ｂ〜ＶＨ２５５ｂを示し、矢印４１ｂは、温度検知回路１１によって閾値以上の温度上昇が検知されていないときの負極側のガンマ補正回路１５ｂのガンマ補正電圧ＶＬ０ｂ〜ＶＬ２５５ｂを示している。上述したように、ガンマ補正電圧ＶＨ２５５ｂを１６Ｖ、ガンマ補正電圧ＶＬ２５５ｂを０Ｖとすると、ガンマ補正電圧ＶＨ０ｂ〜ＶＨ２５５ｂ及びガンマ補正電圧ＶＬ０ｂ〜ＶＬ２５５ｂは、８Ｖを基準として対称となる。
【００６１】
また、破線矢印４２ａは、温度検知回路１１によって閾値以上の温度上昇が検知されたときの正極側のガンマ補正回路１５ａのガンマ補正電圧ＶＨ０ｂ〜ＶＨ２５５ｂを示し、破線矢印４２ｂは、温度検知回路１１によって閾値以上の温度上昇が検知されたときの負極側のガンマ補正回路１５ｂのガンマ補正電圧ＶＬ０ｂ〜ＶＬ２５５ｂを示している。
【００６２】
上述したように、温度検知回路１１によって閾値以上の温度上昇が検知されると、ガンマ補正用電圧入力端子ＶＨ２５５ａから入力されたガンマ補正用入力電圧は、抵抗Ｒ２５６によって電圧降下される。そのため、正極側のガンマ補正回路１５ａでは、この電圧降下されたガンマ補正用入力電圧とガンマ補正用電圧入力端子ＶＨ０ａから入力されたガンマ補正用入力電圧とに応じて、ガンマ補正電圧ＶＨ０ｂ〜２５５ｂを生成するため、温度検知回路１１によって閾値以上の温度上昇が検知された場合、矢印４１ａに比べ全体的に電圧が下がる。なお、ここでは、全体的に電圧を下げる場合について説明したが、高出力電圧側の電圧だけを下げるようにしてもよい。
【００６３】
図５A及び図５Bは、それぞれガンマ補正電圧の変化の他の例について説明するための説明図である。なお、図５A及び図５Bは、中間電位を印加している場合のガンマ補正電圧の変化を示している。
【００６４】
上述したように、ガンマ補正回路１５ａには中間電位を供給できるように、ガンマ補正用電圧入力端子ＶＨ１ａ〜ＶＨ２５４ａを設けている。ガンマ補正用電圧入力端子ＶＨ１ａ〜ＶＨ２５４ａから所定の中間電位を入力することにより、閾値以上の温度上昇があった際に、図５Aの破線矢印４３ａに示すように、ガンマ補正電圧ＶＨ２５５ｂのみを下げることができる。なお、図５Aの破線矢印４３ｂに示すように、負極側のガンマ補正回路１５ｂのガンマ補正電圧ＶＬ２５５ｂについても同様である。
【００６５】
また、任意の階調から振幅を小さくする場合、以下のように構成する。例えば、ガンマ補正用電圧入力端子ＶＨ２５４ａにアナログスイッチを直列に設ける。そして、閾値以上の温度上昇があった際に、このアナログスイッチをオフにすることにより、図５Bの破線矢印４４ａに示すように、ガンマ補正電圧ＶＨ２５４ｂ及びＶＨ２５５ｂのみを下げることができる。なお、図５Bの破線矢印４４ｂに示すように、負極側のガンマ補正回路１５ｂのガンマ補正電圧ＶＬ２５４ｂ及びＶＬ２５５ｂについても同様である。
【００６６】
さらに、ガンマ補正用電圧入力端子ＶＨ１〜ＶＨ２５３についても、それぞれアナログスイッチを直列に接続し、閾値以上の温度上昇があった際に、これらのアナログスイッチのいずれかをオフすることにより、任意の階調から振幅を小さくすることができる。
【００６７】
以上のように、液晶パネル駆動装置１ａは、基準電源バンドギャップ回路３１とダイオードＤ１のダイオード特性とによってチップの温度を検知する温度検知回路１１と、温度検知回路１１の検知結果に基づいて、Ｐ型ＭＯＳトランジスタ２１のオンまたはオフを制御し、ガンマ補正電圧を電圧降下させる抵抗Ｒ２５６を有するガンマ補正回路１５ａ及び１５ｂとを有する。この結果、閾値以上の温度を検知した場合、液晶パネル駆動装置１ａの自己発熱を制御することができる。
【００６８】
よって、本実施の形態の液晶パネル駆動装置によれば、自己発熱を抑制し、多出力化することができる。
【００６９】
本発明は、上述した実施の形態に限定されるものではなく、本発明の要旨を変えない範囲において、種々の変更、改変等が可能である。
【符号の説明】
【００７０】
１ａ〜１ｈ…液晶パネル駆動装置、１１…温度検知回路、１２…Ｎ型ＭＯＳトランジスタ、１３…インバータ、１４…Ｉ／Ｆ、１５ａ，１５ｂ…ガンマ補正回路、１６ａ，１６ｂ…デコーダ、１７ａ，１７ｂ…ソースアンプ、１８ａ１，１８ａ２，１８ｂ１…カスケード接続信号端子、１９ａ１，１９ａ２，１９ｂ１…カスケード接続温度検知端子、２０ａ…ソースドライバ用駆動端子、２１…Ｐ型ＭＯＳトランジスタ、３１…基準電源バンドギャップ回路、３２…定電流源、３３…コンパレータ、１００…テレビジョン装置、１０１…アンテナ、１０２…チューナ、１０３…復号処理部、１０４…音声出力処理部、１０５画像エンジン、１０６…システム制御部、１０７…液晶表示モジュール、１０８…コントローラ、１０９…電源発生装置、１１０…画像発生装置、１１１ａ〜１１４ｄ…ゲートドライバ、１１２ａ〜１１２ｈ…ソースドライバ、１１３…液晶パネル、１１４ａ〜１１４ｈ…出力電圧制御部、１１５…カスケード接続信号ライン、１１６…カスケード接続温度検知ライン。
【図１】
2011164288.tif 000003
【図２】
2011164288.tif 000004
【図３】
2011164288.tif 000005
【図４】
2011164288.tif 000006
【図５Ａ】
2011164288.tif 000007
【図５Ｂ】
2011164288.tif 000008